(57)【要約】      （修正有）【課題】電気掃除機からの排気を遮断せずに、電気掃除機の衝突または転倒時の衝撃を和らげて電気掃除機と壁面、柱面および床面等の損傷を防止する緩衝カバーを提供する。【解決手段】緩衝カバー１００は、緩衝カバー１００が電気掃除機２００に取付けられたときに電気掃除機２００のケースの外周に配置される弾性部材１１０〜１１５等であって、弾性部材１１０〜１１５等の外周が電気掃除機２００の最大外周を超える厚さを有する弾性部材１１０〜１１５等と、この弾性部材に連結され、緩衝カバー１００が取付けられたときに電気掃除機２００の排気口に対向するメッシュ１３０と、を具える。【選択図】図５
0003165616.tif 000002
【実用新案登録請求の範囲】
【請求項１】
ポット型電気掃除機に取付けられ、前記電気掃除機の衝突または転倒による衝撃を緩衝する緩衝カバーにおいて、
前記緩衝カバーが前記電気掃除機に取付けられたときに前記電気掃除機のケースの外周に配置される弾性部材であって、前記弾性部材の外周が前記電気掃除機の最大外周を超える厚さを有する弾性部材と、
前記弾性部材に連結され、前記緩衝カバーが前記電気掃除機に取付けられたときに前記電気掃除機の排気口に対向するメッシュと、を具えることを特徴とする緩衝カバー。
【請求項２】
請求項１に記載の緩衝カバーが、前記電気掃除機の蓋部と胴部に渡っていることを特徴とする緩衝カバー。
【請求項３】
請求項２に記載の緩衝カバーにおいて、前記弾性部材が前記電気掃除機の蓋部の外周を覆う第１弾性部材と、前記電気掃除機の胴部の外周を覆う第２弾性部材とから構成されており、前記メッシュが前記第１弾性部材と前記第２弾性部材とに連結され、前記蓋部と前記胴部との境界に位置する前記電気掃除機の排気口に対向することを特徴とする緩衝カバー。
【請求項４】
請求項３に記載の緩衝カバーにおいて、前記第１弾性部材が前記電気掃除機の蓋部のフランジに係止されることを特徴とする緩衝カバー。
【請求項５】
請求項４に記載の緩衝カバーにおいて、前記第２弾性部材が前記電気掃除機のバンパーに係止されることを特徴とする緩衝カバー。
【請求項６】
請求項５に記載の緩衝カバーにおいて、前記メッシュが前記第１弾性部材の外側面と前記第２弾性部材の外側面とに連結されることを特徴とする緩衝カバー。
【請求項７】
請求項６に記載の緩衝カバーにおいて、前記メッシュが二重構造であることを特徴とする緩衝カバー。
【請求項８】
請求項１に記載の緩衝カバーにおいて、前記弾性部材が所定間隔に配置された複数の弾性部材で構成されており、前記緩衝カバーがさらに前記複数の弾性部材を包んで連結する繊維部材を具え、
前記複数の弾性部材が山部を形成し、前記複数の弾性部材の連結部の繊維部材が谷部を形成することを特徴とする緩衝カバー。
【請求項９】
請求項８に記載の緩衝カバーにおいて、前記谷部には、前記電気掃除機の蓋部と胴部の外周に設けられた付属部材が嵌まることを特徴とする緩衝カバー。
【請求項１０】
請求項１に記載の緩衝カバーが有端ベルト状に形成されており、前記緩衝カバーの両端部を接続する接続部材をさらに具え、前記接続部材がベルクロで構成されていることを特徴とする緩衝カバー。
【請求項１１】
請求項１０に記載の緩衝カバーにおいて、前記緩衝カバーが前記電気掃除機に取付けられたとき、前記緩衝カバーの両端部の間に隙間が形成され、前記隙間に付属部材が位置することを特徴とする緩衝カバー。
【請求項１２】
請求項９または１１に記載の緩衝カバーにおいて、前記付属部材が、前記電気掃除機の蓋部を胴部に止める係止部材および前記電気掃除機の吸気部の少なくとも１つを含むことを特徴とする緩衝カバー。
【考案の詳細な説明】
【技術分野】
【０００１】
本考案は、電気掃除機の衝突または転倒による衝撃を緩衝するための緩衝カバーに関し、特に電気掃除機の排気口に対向するメッシュを具えた緩衝カバーに関する。
【背景技術】
【０００２】
従来、電気掃除機の本体に取付けられる緩衝ベルトであって、その外周が電気掃除機の最大外周を超える厚さに構成した緩衝ベルトが知られている（例えば、特許文献１）。この緩衝ベルトは、ポリエチレン発泡体のような弾性材料を用いて製造される。長尺で厚さのある帯状の弾性材料を適当な長さに切断し、切断した端面同士を全体が円形または角形のサークル状になるように接着等によって接続する。これによって、無端状かつサークル状の緩衝ベルトが形成される。この緩衝ベルトは、その内周面に電気掃除機の止め金具が嵌まる溝を有している。
【先行技術文献】
【特許文献】
【０００３】
【特許文献１】特開平９−１７３２６３号公報
【考案の概要】
【考案が解決しようとする課題】
【０００４】
上述した従来の緩衝ベルトは、弾性部材の外周が電気掃除機の最大外周を超える厚さを有するため、電気掃除機の衝突または転倒時の衝撃を和らげて電気掃除機と壁面、柱面および床面等の破損を防止することができる。しかしながら、かかる緩衝ベルトは、電気掃除機の排気口を遮らないようにその垂直方向の長さが電気掃除機の高さと比べて短く形成されており、排気口の位置に応じて緩衝ベルトの取付け位置が上下する。したがって、電気掃除機の衝突箇所または転倒の仕方によっては、電気掃除機や壁面等を傷つけてしまうという懸念があった。
【０００５】
このような背景を鑑み、本考案は、電気掃除機からの排気を遮断せずに、電気掃除機の衝突または転倒時の衝撃を和らげて電気掃除機と壁面、柱面および床面等の損傷を防止することが可能な緩衝カバーを提供することを目的とする。
【課題を解決するための手段】
【０００６】
本考案に係る緩衝カバーは、ポット型電気掃除機に取付けられ、前記電気掃除機の衝突または転倒による衝撃を緩衝する緩衝カバーにおいて、前記緩衝カバーが前記電気掃除機に取付けられたときに前記電気掃除機のケースの外周に配置される弾性部材であって、前記弾性部材の外周が前記電気掃除機の最大外周を超える厚さを有する弾性部材と、前記弾性部材に連結され、前記緩衝カバーが取付けられたときに前記電気掃除機の排気口に対向するメッシュと、を具えることを特徴とするものである。
【０００７】
この態様において、本考案に係る緩衝カバーが、前記電気掃除機の蓋部と胴部に渡ることが好ましい。また、前記弾性部材が前記電気掃除機の蓋部の外周を覆う第１弾性部材と、前記電気掃除機の胴部の外周を覆う第２弾性部材とから構成されており、前記メッシュが前記第１弾性部材と前記第２弾性部材とに連結され、前記蓋部と前記胴部との境界に位置する前記電気掃除機の排気口に対向することが好適である。一実施例では、前記第１弾性部材が前記電気掃除機の蓋部のフランジに係止され、前記第２弾性部材が前記電気掃除機のバンパーに係止される。さらに一実施例では、前記メッシュが前記第１弾性部材の外周面と前記第２弾性部材の外周面とに連結されることが好適であり、より好ましくは前記メッシュが二重構造である。
【０００８】
またこの態様において、前記弾性部材が所定間隔に配置された複数の弾性部材で構成されており、前記緩衝カバーがさらに前記複数の弾性部材を包んで連結する繊維部材を具え、前記複数の弾性部材が山部を形成し、前記複数の弾性部材の連結部の繊維部材が谷部を形成することが好ましい。また、前記谷部には、前記電気掃除機の蓋部と胴部の外周に設けられた付属部材が嵌まることが好適である。
【０００９】
さらにこの態様では、本考案に係る緩衝カバーが有端ベルト状に形成されており、前記緩衝カバーの両端部を接続する接続部材をさらに具え、前記接続部材がベルクロで構成されていることが好ましい。また、前記緩衝カバーが前記電気掃除機に取付けられたとき、前記緩衝カバーの両端部の間に隙間が形成され、前記隙間に付属部材が位置することが好適である。なお、前記付属部材は、前記電気掃除機の蓋部を胴部に止める係止部材および前記電気掃除機の吸気部の少なくとも１つを含むことを特徴とする。
【考案の効果】
【００１０】
本考案に係る緩衝カバーによれば、メッシュが電気掃除機の排気口に対向するため、電気掃除機からの排気を遮断することがない。また弾性部材が電気掃除機の最大外周を超える厚さを有しているため、清掃中に電気掃除機が壁面、柱面に衝突したり、または床面で転倒した場合であっても、弾性材料が壁面等に接触する。よって、電気掃除機と共に壁面、柱面、床面等の損傷を防止することができる。
【００１１】
特に本考案に係る緩衝カバーは、電気掃除機の蓋部と胴部に渡るため、電気掃除機のほぼ全体を保護することができる。また一般的に、ポット型電気掃除機は蓋部と胴部との境界に排気口を具えることが多いため、蓋部に対向する第１弾性部材と、胴部に対向する第２弾性部材とに連結されるメッシュを具えた本考案に係る緩衝カバーは汎用性の高い構造となっている。また、第１弾性部材は蓋部のフランジに係止され、第２弾性部材が電気掃除機のバンパーに係止されるため、緩衝カバーが電気掃除機からズレ落ちるのを防止することも可能である。さらに、メッシュは第１弾性部材の外側面と第２弾性部材の外側面とに連結されるため、メッシュと電気掃除機との間に隙間を確保しており、かつメッシュを二重構造とすることによってメッシュ部分の衝撃にも耐え得るよう設計されている。
【００１２】
また本考案に係る緩衝カバーによれば、複数の弾性部材が山部を形成し、その連結部の繊維部材が谷部を形成するため、緩衝カバーが折れ曲がる。よって、円形だけでなく、角形など様々な形状の電気掃除機に容易に取付けることが可能である。また、電気掃除機の蓋部と胴部の外周に付属部材が設けられていても、この谷部に付属部材が嵌まるように緩衝カバーを取付けることができる。さらに、この付属部材は、谷部を形成する繊維部材によって覆われるため、付属部材の損傷も防止することができる。
【００１３】
さらに本考案に係る緩衝カバーによれば、緩衝カバーの両端部を接続する接続部材がベルクロで構成されるため、緩衝カバーの長手方向の長さを調節することで様々なサイズの電気掃除機に緩衝カバーを取付けることができる。また、電気掃除機に緩衝カバーが取付けられたとき、緩衝カバーの両端部の間に隙間が形成されるため、電気掃除機の吸気部がどこに設けられていても、緩衝カバーを取付けることができる。
【図面の簡単な説明】
【００１４】
【図１】本考案に係る緩衝カバーの一例を示す正面図である。
【図２】ポット型電気掃除機の一例を示す正面図である。
【図３】図２の電気掃除機に取付けられた図１の緩衝カバーを示す正面図である。
【図４】図２の電気掃除機に取付けられた図１の緩衝カバーを示す上面図である。
【図５】図２の電気掃除機に取付けられた図１の緩衝カバーを示す斜視図である。
【考案を実施するための形態】
【００１５】
以下、本考案に係る電気掃除機の緩衝カバーの一例を図面を参照して詳細に説明する。
【００１６】
図１は、本考案に係る緩衝カバーの一例を示す正面図であり、図２は、ポット型電気掃除機の一例を示す正面図である。図３〜図５は、図２の電気掃除機に取付けられた図１の緩衝カバーを示す正面図、上面図および斜視図である。図１に示すように、本考案に係る緩衝カバー１００は、弾性部材１１０〜１２１と、メッシュ１３０と、繊維部材１４０〜１４３と、接続部材１５０〜１５３とを具えている。また図２に示すように、緩衝カバー１００が取付けられるポット型電気掃除機２００は、本体ケース（筐体）である蓋部２１０と、ダストケース（筐体）である胴部２１１と、吸気部２２０と、排気口２２１と、止め金具である係止部材２３０，２３１と、車輪２４０〜２４３と、バンパー２５０〜２５３とを具えている。図３に示すように、緩衝カバー１００が電気掃除機２００に取付けられるとき、緩衝カバー１００は、電気掃除機２００の蓋部２１０と胴部２１１に渡っている。以下、本考案に係る緩衝カバー１００の各部材について詳述する。
【００１７】
弾性部材１１０〜１２１は、発泡ポリエチレン、発泡ポリプロピレン等の耐衝撃性、軽量性、柔軟性に優れた発泡材等で形成され、電気掃除機２００の衝突または転倒による衝撃を吸収する。図３〜図５に示すように、弾性部材１１０〜１２１は、緩衝カバー１００が電気掃除機２００に取付けられたときに、電気掃除機２００のケースの外周２６０に配置され、弾性部材１１０〜１２１の外周１６０が電気掃除機２００の最大外周２６１を超える厚さ１６１を有している。ここで本実施例において、弾性部材１１０〜１２１の外周１６０とは、電気掃除機２００の上面視において、弾性部材１１０〜１２１を凸に包む凸包線またはこれに外接する外接円のことをいう。また本実施例において、電気掃除機２００の最大外周２６１とは、電気掃除機２００の上面視において電気掃除機２００を凸に包む凸包線またはこれに外接する外接円のことをいう。図４の実施例では、最大外周２６１は、吸気部２２０、係止部材２３１、またはバンパー２５１〜２５３に外接する外接円である。
【００１８】
メッシュ１３０は、ナイロン、ステンレス等の耐摩擦性、耐久性に優れた素材で形成される。メッシュ１３０は、図１に示すように、弾性部材１１０〜１２１にナイロン糸または接着剤等で固定され、図２および図３に示すように、緩衝カバー１００が電気掃除機２００に取付けられたときに電気掃除機２００の排気口２２１に対向する。特に弾性部材１１０〜１２１は蓋部２１０の外周を覆う第１弾性部材１１０〜１１５と、胴部２１１の外周を覆う第２弾性部材１１６〜１２１とから構成されており、メッシュ１３０は第１弾性部材１１０〜１１５と第２弾性部材１１６〜１２１とに連結され、蓋部２１０と胴部２１１との境界に位置する電気掃除機２００の排気口２２１に対向する。さらに、第１弾性部材１１０〜１１５が蓋部２１０のフランジ２１２に係止されており、第２弾性部材１１６〜１２１が電気掃除機２００のバンパー２５１〜２５３に係止されている。またメッシュ１３０は、第１弾性部材１１０〜１１５の外側面と第２弾性部材１１６〜１２１の外側面とに連結されており、さらにメッシュ１３０は二重構造である。なお、当該外側面とは、緩衝カバー１００が電気掃除機２００に取付けられたときの弾性部材１１０〜１２１の外側の面のことをいう。
【００１９】
繊維部材１４０〜１４３は、ナイロンツイル等の耐摩擦性、耐久性に優れた繊維材料で形成される。蓋部２１０に対向する繊維部材１４０は、図１に示すように、所定間隔に配置された複数の弾性部材１１０〜１１５を包んで連結する。一方、胴部２１１に対向する繊維部材１４１は、所定間隔に配置された複数の弾性部材１１６〜１２１を包んで連結する。これにより、複数の弾性部材１１０〜１２１が山部１７０〜１７５を形成し、その連結部の繊維部材１４０，１４１が谷部１８０〜１８４を形成する。この谷部１８０〜１８４には、電気掃除機２００の蓋部２１０と胴部２１１の外周に設けられた付属部材が嵌まる。したがって、上記所定の間隔は、電気掃除機２００の付属部材のサイズに応じて寸法されてもよい。本実施例では、付属部材は、蓋部２１０を胴部２１１に止める係止部材２３０，２３１および吸気部２２０などを含む。一方、図１に示すように、繊維部材１４２と１４３は、繊維部材１４０，１４１の端部とメッシュ１３０の端部とを連結し、緩衝カバー１００の両端部を形成している。
【００２０】
接続部材１５０〜１５３は、ベルクロで構成されており、有端ベルト状に形成された緩衝カバー１００の両端部を接続する。すなわち、一方の接続部材１５０，１５２がループ状に密集した起毛を有し、他方の接続部材１５１，１５３がフック状の起毛を有しており、一方の接続部材１５０，１５２が他方の接続部材１５１，１５３に貼り付く。一方の接続部材１５０，１５２のループ部分の面積は、他方の接続部材１５１，１５３のフック部分の面積より大きく形成されているため、電気掃除機２００の外周サイズに応じて緩衝カバー１００の長手方向の長さを調節することができる。また図３および図５に示すように、緩衝カバー１００が電気掃除機２００に取付けられたとき、緩衝カバー１００の両端部の間に隙間２７０が形成される。この隙間２７０には付属部材が配置される。上記のとおり、電気掃除機２００の付属部材は、係止部材２３０，２３１や吸気部２２０などを含む。
【００２１】
上述した本考案の実施例は、本考案の範囲から逸脱せずに多くの変更および変形がなされてもよい。したがって、本考案は、開示された特定の実施例に限定されずに実施することが可能であり、本書に添付されたクレームの範囲にある全ての実施例を含む。例えば、一実施例として、電気掃除機の排気口が蓋部または胴部に設けられている場合には、この排気口に対向する位置にメッシュが配置されてもよい。また別の実施例では、緩衝カバーが帯状またはサークル状ではなく、カップ状でもよい。この場合、緩衝カバーは電気掃除機の上から被せられる。
【産業上の利用可能性】
【００２２】
本考案に係る緩衝カバーは、電気掃除機からの排気を遮断せずに、電気掃除機の衝突または転倒時の衝撃を和らげて電気掃除機と壁面、柱面および床面等の損傷を防止する用途に利用することができる。
【符号の説明】
【００２３】
１００  緩衝カバー
１１０〜１２１  弾性部材
１３０  メッシュ
１４０〜１４３  繊維部材
１５０〜１５３  接続部材
１６０  弾性部材の外周
１６１  弾性部材の厚さ
１７０〜１７５  山部
１８０〜１８４  谷部
２００  ポット型電気掃除機
２１０  蓋部（本体ケース）
２１１  胴部（ダストケース）
２２０  吸気部
２２１  排気口
２３０，２３１  係止部材（止め金具）
２６０  電気掃除機のケースの外周
２６１  電気掃除機の最大外周
２７０  緩衝カバーの隙間
【図１】
0003165616.tif 000003
【図２】
0003165616.tif 000004
【図３】
0003165616.tif 000005
【図４】
0003165616.tif 000006
【図５】
0003165616.tif 000007